(57)【要約】【課題】  既存の内壁の上から自由に施工でき、取り外しも容易で優れた意匠性および機能性を有する壁構造と、この壁構造に用いられるレール部材とを提供する。【解決手段】内壁面１１に、レール部材２を介してパネル３を貼設して構成された壁構造１であって、複数本のレール部材２が、パネル３の大きさに合わせた間隔で平行し、かつ、内壁面１１に対して水平方向に沿うように固定され、パネル３は、平行するレール部材２の嵌合部２０間に設けられ、内壁面１１との間に間隙Ｓを形成した位置に固定されてなるものである。【選択図】  図１
2005139830.tif 000002
【特許請求の範囲】
【請求項１】
内壁面に、レール部材を介してパネルを貼設して構成された壁構造であって、
レール部材は、基底部中央から突起部が突出された断面略凸状となされた長尺に形成され、突起部天面の両側には、長手方向に沿ってリブが延設されてなり、
複数本のレール部材が、パネルの大きさに合わせた間隔で平行し、かつ、内壁面に対して水平方向に沿うように固定され、
パネルは、平行するレール部材間に設けられ、レール部材の基底部天面と突起部側面とリブ裏面とによって形成される嵌合部にパネルの側縁が嵌合可能となされ、
対向するレールの嵌合部のうち、上側の嵌合部にパネルの上側の側縁を差し込んで下側の嵌合部にパネルの下側の側縁を落とし込むようにして平行するレール間に嵌め込まれ、内壁面との間に空隙を形成した位置にパネルが固定されてなることを特徴とする壁構造。
【請求項２】
レール部材は、突起部天面から基底部方向に向かって凹設された溝部が長手方向に沿って形成されるとともに、この溝部の底部には、溝部よりも拡幅されてなる係止溝部が、長手方向に沿って形成され、
この係止溝部には、溝部入口から挿入されて係止溝部に係止するようになされた係止手段を有する棚板の該係止手段が係止されて、レール部材の前方に棚板が設けられてなる請求項１記載の壁構造。
【請求項３】
パネルは、透光性を有する板材となされるとともに、パネルと内壁面との間隙に照明装置が設けられてなる請求項１または２記載の壁構造。
【請求項４】
内壁面に、内壁面から間隙を形成した状態でパネルを固定するレール部材であって、
断面略リップ溝型に形成された長尺のベース部材と、このベース部材のリップ溝内にスライド挿入される長尺の受け部材とからなり、
受け部材は、基端部がベース部材のリップ溝内に合致する大きさとなされるとともに、この基端部の中央からは、ベース部材のリップ溝内にスライド挿入された状態でこのベース部材のリップ溝部から突出する突起部が突設され、この突起部天面の両側には長手方向に沿ってリブが延設され、突起部天面には、基端部方向に向かって凹設された溝部が長手方向に沿って形成されるとともに、この溝部の底部には、溝部よりも拡幅されてなる係止溝部が長手方向に沿って形成されてなることを特徴とするレール部材。
【発明の詳細な説明】
【技術分野】
【０００１】
本発明は、住宅建物内の壁構造と、この壁構造の構成に用いられるレール部材に関するものである。
【背景技術】
【０００２】
従来より、住宅建物の内壁面の一部を、タイル張りで仕上げたり、木調の化粧パネルで仕上げたり、外壁と同じ壁材からなる外壁パネルで仕上げたりすることで、内壁の一部に意匠性の向上を図ることが行われている。
【０００３】
また、間仕切り壁などの場合には、容易に設置でき、収納棚などを自由にレイアウトできるようになされたものが提案されている。
【特許文献１】特公平６−３０５５号
【発明の開示】
【発明が解決しようとする課題】
【０００４】
しかし、内壁の一部をタイルや化粧パネルや壁材で仕上げたものの場合、部屋の模様替えなどで内壁を違う素材や色のものに変更したり、内壁を元の状態に戻したいような時に、タイルや化粧パネルや壁材などを取り外すことが困難になり、大掛かりな工事が必要となってしまう。
【０００５】
また、間仕切り壁の場合、建物内の部屋同士を仕切る壁面に限定されるので、建物の外壁に面した部分の内壁には利用することができない。また、収納棚などを設けて壁自体は自由にレイアウトできるが、壁ごとの施工であるため、大掛かりな工事が必要となる。
【０００６】
本発明は係る実情に鑑みてなされたものであって、既存の内壁の上から自由に施工でき、取り外しも容易で優れた意匠性および機能性を有する壁構造と、この壁構造に用いられるレール部材とを提供することを目的としている。
【課題を解決するための手段】
【０００７】
上記課題を解決するための本発明の壁構造は、内壁面に、レール部材を介してパネルを貼設して構成された壁構造であって、レール部材は、基底部中央から突起部が突出された断面略凸状となされた長尺に形成され、突起部天面の両側には、長手方向に沿ってリブが延設されてなり、複数本のレール部材が、パネルの大きさに合わせた間隔で平行し、かつ、内壁面に対して水平方向に沿うように固定され、パネルは、平行するレール部材間に設けられ、レール部材の基底部天面と突起部側面とリブ裏面とによって形成される嵌合部にパネルの側縁が嵌合可能となされ、対向するレールの嵌合部のうち、上側の嵌合部にパネルの上側の側縁を差し込んで下側の嵌合部にパネルの下側の側縁を落とし込むようにして平行するレール間に嵌め込まれ、内壁面との間に間隙を形成した位置にパネルが固定されてなるものである。
【０００８】
また、上記壁構造において、レール部材は、突起部天面から基底部方向に向かって凹設された溝部が長手方向に沿って形成されるとともに、この溝部の底部には、溝部よりも拡幅されてなる係止溝部が、長手方向に沿って形成され、この係止溝部には、溝部入口から挿入されて係止溝部に係止するようになされた係止手段を有する棚板の該係止手段が係止されて、レール部材の前方に棚板が設けられてなるものである。
【０００９】
さらに、上記壁構造において、パネルは、透光性を有する板材となされるとともに、パネルと内壁面との間隙に照明装置が設けられてなるものである。
【００１０】
また、上記課題を解決するための本発明のレール部材は、内壁面に、内壁面から間隙を形成した状態でパネルを固定するレール部材であって、断面略リップ溝型に形成された長尺のベース部材と、このベース部材のリップ溝内にスライド挿入される長尺の受け部材とからなり、受け部材は、基端部がベース部材のリップ溝内に合致する大きさとなされるとともに、この基端部の中央からは、ベース部材のリップ溝内にスライド挿入された状態でこのベース部材のリップ溝部から突出する突起部が突設され、この突起部天面の両側には長手方向に沿ってリブが延設され、突起部天面には、基端部方向に向かって凹設された溝部が長手方向に沿って形成されるとともに、この溝部の底部には、溝部よりも拡幅されてなる係止溝部が長手方向に沿って形成されてなるものである。
【発明の効果】
【００１１】
以上述べたように、本発明によれば、平行するレール間に落とし込むようにしてパネルを固定するので、雰囲気に応じて容易にパネルを交換することができる。また、内壁面にはレール部材が固定されているだけで、パネル自体はレール部材間に嵌め込まれているだけなので、容易に施工することができるし、レール部材自体を取り外せば、容易に元の内壁の状態に戻す事もできる。さらに、パネルは、レール部材間に嵌め込まれて内壁との間に間隙を形成した状態で固定されるので、この間隙により、優れた防音効果、断熱効果が得られることとなる。
【００１２】
また、レール部材に設けられた溝部を利用して、この溝部への係止手段を有するフック、棚板、収納ボックスなどを設けることによって、より機能的な壁面を構成することができる。
【００１３】
さらに、透光性を有する板材からなるパネルを用い、パネルと内壁面との間隙に照明装置を設けることで、内壁自体を照明装置として機能させることができる。また、既設の内壁面であっても、容易に施工したり、取り外したりすることができる。
【発明を実施するための最良の形態】
【００１４】
以下、本発明の実施の形態を図面を参照して説明する。
【００１５】
図１および図２は壁構造１の全体構成の概略を示している。
【００１６】
すなわち、この壁構造１は、内壁面１１に、レール部材２を介してパネル３を貼設して構成された壁構造であって、内壁面１１に固定された複数本の水平方向に沿って平行するレール部材２間に、内壁面１１との間に間隙Ｓを形成した状態でパネル３が固定されている。
【００１７】
内壁面１１は、住宅建物内であれば、特に限定されるものではないが、この内壁面１１に固定されたレール部材２がパネル３を支持できるだけの充分な耐荷重力を得ることができる内壁面１１であることが好ましい。したがって、ビス（図示省略）で固定可能な下地補強された内壁面１１であることが最も好ましい。この内壁面１１が鉄筋コンクリートや石膏ボードからなるような場合には、それぞれ専用のビス（図示省略）を用いて固定しなければならない。
【００１８】
レール部材２は、断面略リップ溝型で長尺に形成されたベース部材２１と、このベース部材２１の一端部からリップ溝２１ａ内にスライド挿入される長尺の受け部材２２とからなる。
【００１９】
受け部材２２は、その基端部２２ａが、ベース部材２１のリップ溝２１ａ内に合致する略コ字状に形成されており、この基端部２２ａの中央からは、ベース部材２１のリップ溝２１ａ内にスライド挿入された状態でこのベース部材２１のリップ溝２１ａから突出する突起部２２ｂが突設されている。この突起部２２ｂの天端部の両側には、長手方向に沿ってリブ２２ｃが延設され、基端部２２ａの天面と、突起部２２ｂの側面と、リブ２２ｃの裏面とによって、それぞれ嵌合部２０を形成するようになされている。また、この突起部２２ｂの天端部は基端部２２ａの方向に向かって凹設された溝部２２ｄが形成されている。この溝部２２ｄの底には、この溝部２２ｄよりも拡幅された係止溝部２２ｅが長手方向に沿って形成されている。
【００２０】
この溝部２２ｄには、棚板４を取り付けることができるようになされている。この棚板４は、棚板本体４０の一側縁部に階段状に屈曲されてその先端が係止溝部２２ｅに係止するようになされた係止部４１を形成するようになされており、溝部２２ｄに沿って係止部４１を挿入した後、棚板本体４０を下方向に押し下げることで、係止部４１が係止溝部２２ｅ内に入り込み係止するようになされている。
【００２１】
なお、この棚板４は、係止させる場合と逆に棚板本体４０を上方向に押し上げて、溝部２２ｄに挿入された係止部４１を溝部２２ｄに沿って所望の位置に移動させた後、再度棚板本体４０を下方向に押し下げることで、レール部材２に沿った自由な位置に棚板４を容易に移動させて固定し直すこともできる。
【００２２】
パネル３は、例えば、幅６６６ｍｍ、高さ３３３ｍｍといった具合に定められた所定の大きさに形成されたものが使用される。パネル３の厚みについては、スペーサー３１を利用して調整することができるのでレール部材２の嵌合部２０に嵌合可能な範囲のものが使用される。パネル３の具体的なものとしては、タイル、木彫化粧パネル、コルクボード、ガラス、アクリル、セラミック板、金属板など、各種のものを使用することができる。
【００２３】
なお、パネル３は、所定の大きさに形成されたものであれば、特にその大きさを限定されるものではなく上記したような長方形状のものに限定されるものではなく、正方形状のものであってもよい。また、上記したように幅：高さ＝２：１の割合で形成された長方形状のパネル３の場合、この幅＝２に相当する一辺長さの正方形状のパネル３や、高さ＝１に相当する一辺長さの正方形状のパネル３などと組み合わせて使用するものであってもよい。すなわち、レール部材２の間隔を決めれば、このレール部材２の間隔に応じた一辺長さを有するパネル３であれば、長方形であれ、正方形であれ使用することができる。
【００２４】
次に、この壁構造の施工について述べる。
【００２５】
まず、内壁面１１に複数のレール部材２が水平方向に沿って平行するようにレール部材２を設ける。レール部材２は、ベース部材２１を内壁面１１に当接し、このベース部材２１のリップ溝２１ａ内から内壁面１１にビス（図示省略）を固定することによって、まずベース部材２１を固定する。この際、ベース部材２１は、パネル３の高さに応じた間隔で平行するように固定される。
【００２６】
ついで、このベース部材２１のリップ溝２１ａ内に、受け部材２２の基端部２２ａをスライド挿入してレール部材２の施工を完了する。この際、ベース部材２１のリップ溝２１ａと受け部材２２の基端部２２ａとの間には、弾性体などから構成されたスペーサー２３を設けてがたつき防止を図るようになされている。
【００２７】
なお、下端部のレール部材２は、棚板４を設けないので、溝部２２ｄを有しない受け部材２２が使用される。また、上端部のレール部材２は、嵌合部２０にパネル３を嵌め込まないので、この嵌合部２０に合致する長尺のカバー２４が設けられて納まりが綺麗に整えられる。
【００２８】
このようにして内壁面１１に水平方向に沿って平行する５本のレール部材２を施工した後、各レール部材２の対向する嵌合部２０間にパネル３が設けられる。パネル３は、対向するレール部材２の上側の嵌合部２０に上側の側縁を差し込んだ後、レール部材２の下側の嵌合部２０に下側の側縁を落とし込むようにして嵌め込まれる。この際、パネル３の厚みが嵌合部２０の厚みに対して薄い場合、嵌合部２０にスペーサー３１を設けてがたつき防止を図るようになされている。また、パネル３の上側縁および下側縁と嵌合部２０とが接する部分についても、緩衝材３２が設けられてパネル３の損傷やがたつきなどを生じないうよになされている。
【００２９】
このように、パネル３を設けた状態で、パネル３と内壁面１１との間には、レール部材２のベース部材２１の厚みに略相当する間隙Ｓが形成されることとなる。したがって、通常の内壁面１１の部分と比較すると、防音効果、断熱効果などに優れたものとなる。なお、各レール部材２の両端部には、垂直方向に沿ってこのレール部材２の厚みに相当する厚みを有する長尺の縦枠材２５が設けられ、納まりが整えられる。
【００３０】
このようにして構成される壁構造１によると、壁構造１自体は、内壁面１１にレール部材２を固定してパネル３を嵌め込むだけで簡単に施工できるとともに、レール部材２に嵌め込まれたパネル３を取り外した後、レール部材２自体を内壁面１１から取り外すだけで簡単に取り外すこともできる。
【００３１】
また、パネル３は、レール部材２に嵌め込んでいるだけなので、自由に交換して各種意匠性の異なった壁面に容易に構成することができる。また、レール部材２に設けた棚板４は、レール部材２の長手方向に沿って移動させることができ、取り外しも簡単なため、パネル３と合わせて自由にレイアウトすることができる。図３は、壁構造１の各種バリエーションを示している。
【００３２】
図３（ａ）に示す壁構造１は、内壁面１１の床から天井にいたる全体に設けられ、中央に異なった色調のパネル３を用いてるとともに、ボックス収納５と固定棚板６とを設けている。図３（ｂ）に示す壁構造１は、内壁面１１の一部に、ベッド１２のヘッドボード替わりに構成されている。
【００３３】
この壁構造１に使用されているボックス収納５は、図４（ａ）に示すように、嵌合部２０に嵌め込まれるパネル３と同様の板面５１の前面に収納部５０が形成されたものであって、パネル３と同様にレール部材２の対向する嵌合部２０間に嵌め込むことによって取り付けたり、取り外したり容易にできるように構成されている。固定棚板６は、図４（ｂ）に示すように、上記棚板４と異なり、嵌合部２０に嵌め込まれるパネル３と同様の板面６１の下辺に棚板部６０が形成されたものであって、パネル３と同様にレール部材２の対向する嵌合部２０間に嵌め込むことによって取り付けたり、取り外したり容易にできるように構成されている。
【００３４】
また、この他にも、壁構造１には、図５に示すように、フック７を設けることができる。このフック７は、溝部２２ｄを通過可能な幅で係止溝部２２ｅに係止可能な長さに形成された係止片７１から延設されたネジ部７２に溝部２２ｄよりも大径となされたフック本体７３を螺合できるように構成したものであって、フック本体７３とネジ部７２とを緩く螺合した状態で係止片７１を溝部２２ｄに通過させ、通過後係止溝部２２ｅ内でネジ部７２にフック本体７３を螺合すると、まず、係止片７１が回動して係止溝部２２ｅに係止した状態になり、その後、ネジ部７２にフック本体７３がしっかりと螺合する。これにより、係止片７１とフック本体７３とがレール部材２を挟持固定することとなり、レール部材２にフック７が取り付けられることとなる。このフック７は、ネジ部７２とフック本体７３との螺合を緩めれば簡単に取り外して所望の位置へ移動させることができる。
【００３５】
このように、壁構造１は、内壁面１１に設けたレール部材２を中心に、パネル３、棚板４、ボックス収納５、固定棚板６、フック７などを自由に設けて各種意匠性の異なった壁面に仕上げることができ、意匠の面でも機能の面でも選択肢の幅が広がり、汎用性のある展開が可能となる。また、パネル３は、ガラスやアクリルなどから構成された透光性のある素材のものを使用して内壁面１１とパネル３との間隙Ｓに照明装置（図示省略）などを設ければ、内壁面１１に設けた壁構造１の一部または全部を照明として機能させることができる。
【００３６】
したがって、この壁構造１を設ける位置としては、機能性および意匠性、またはその何れか一方を考慮して住宅建物１０内の色々の内壁面１１に適用することができる。例えば、図６（ａ）は、この壁構造１を、階段室１１ａ廻りに意匠壁として施工するとともに、食堂１１ｂとキッチン１１ｃとを仕切る間仕切壁の両面に、それぞれ機能壁として施工した例を示している。図６（ｂ）はリビング１１ｄの凹設された壁面に意匠壁として施工した例を示している。図６（ｃ）は玄関ホール１１ｆの空間のアクセントとなる意匠壁として施工した例を示し、図６（ｄ）は、ウォークインクローゼット１１ｅ内の機能壁として施工した例を示している。図６（ｅ）は食堂１１ｂの家事コーナー１１ｇの機能壁として施工した例を示し、図６（ｆ）は食堂１１ｂのテーブル横の小物関係を収納する機能壁として施工した例を示している。図７（ａ）および（ｂ）は洗面所１１ｈのアクセントとなり、かつ小物の収納が可能な意匠壁および機能壁として施工した例を示し、図７（ｃ）および（ｄ）は同じくトイレ１１ｉの意匠壁および機能壁して施工した例を示している。
【００３７】
なお、本実施の形態において、レール部材２は、全て等しい間隔で平行するように施工しているため、全てのレール部材２同士の間隔に同じ規格のパネル３を設けることができるようになされているが、これら平行するレール部材２同士の間隔は、それぞれのレール部材２同士の間隔毎に異なっていてもよい。ただし、この場合、同じレール部材２同士の間隔では、同じ規格のパネル３を自由に取り替えたりすることができるが、他のレール部材２同士の間隔では、パネル３の規格が異なるので、各レール部材２同士の間隔毎に、その規格に合ったパネル３を使用しなければならない。
【産業上の利用可能性】
【００３８】
住宅建物の内壁面に適用できる。
【図面の簡単な説明】
【００３９】
【図１】（ａ）は本発明に係る壁構造の全体構成の概略を示す正面図、（ｂ）は同断面図である。
【図２】図１に示す壁構造の要部を示す部分省略拡大断面図である。
【図３】（ａ）および（ｂ）は本発明に係る壁構造の他の実施の形態を示す正面図である。
【図４】（ａ）は本発明に係る壁構造に用いられる収納ボックスの納まりを示す断面図、（ｂ）は本発明に係る壁構造に用いられる固定棚板の納まりを示す断面図である。
【図５】（ａ）は本発明に係る壁構造に用いられるフックの斜視図、（ｂ）ないし（ｄ）は同フックの使用状態を説明する断面図である。
【図６】（ａ）ないし（ｆ）は本発明に係る壁構造を住宅建物内の各種内壁面に施工した例を説明する間取り図である。
【図７】（ａ）および（ｂ）は本発明に係る壁構造を洗面所に施工した例を説明する間取り図、（ｃ）および（ｄ）は同壁構造をトイレに施工した例を説明する間取り図である。
【符号の説明】
【００４０】
１  壁構造
１１  内壁面
２  レール部材
２０  嵌合部
２１  ベース部材
２１ａ  リップ溝部
２２  受け部材
２２ａ  基端部
２２ｂ  突起部
２２ｃ  リブ
２２ｄ  溝部
２２ｅ  係止溝部
３  パネル
Ｓ  間隙
【図１】
2005139830.tif 000003
【図２】
2005139830.tif 000004
【図３】
2005139830.tif 000005
【図４】
2005139830.tif 000006
【図５】
2005139830.tif 000007
【図６】
2005139830.tif 000008
【図７】
2005139830.tif 000009